(57)【要約】【課題】無線通信により、複数のコントローラから照明器具にそれぞれ調光信号を送信する照明システムにおいて、各コントローラから照明器具を制御可能な照明システムを提供する。【解決手段】各コントローラ１は、ユーザからの調光設定を受け付ける操作部１１と、ユーザから受け付けた調光設定と、調光設定を受け付けた更新時刻とを含む調光信号を生成する制御部１２と、無線通信により、制御部１２によって生成された調光信号を所定時間ごとに送信する通信部１３とを備える。照明器具２は、各コントローラ１からそれぞれ送信される調光信号を受信する通信部２１と、受信した調光信号のうち、更新時刻が最も新しい調光信号に含まれる調光設定に従って、自己の光源２３を制御する制御部２２とを備える。【選択図】図１
2020194652.tif 000002
【特許請求の範囲】
【請求項１】
照明器具と、
前記照明器具の調光制御を行うためにそれぞれ設けられた複数のコントローラと
を備え、
前記コントローラは、
ユーザからの調光設定を受け付ける操作部と、
前記ユーザから受け付けた調光設定と、前記調光設定を受け付けた更新時刻とを含む調光信号を生成する制御部と、
無線通信により、前記制御部によって生成された調光信号を所定時間ごとに送信する通信部と
を備え、
前記照明器具は、
前記複数のコントローラからそれぞれ送信される調光信号を受信する通信部と、
受信した調光信号のうち更新時刻が最も新しい調光信号に含まれる調光設定に従って、自己の光源を制御する制御部と
を備えることを特徴とする照明システム。
【請求項２】
照明器具と、
前記照明器具の調光制御を行うためにそれぞれ設けられた複数のコントローラと、
を備え、
前記複数のコントローラは、１または複数の第１コントローラと、第２コントローラとを含み、
前記１または複数の第１コントローラは、
ユーザからの調光設定を受け付ける操作部と、
前記ユーザから受け付けた調光設定と、前記調光設定を受け付けた更新時刻とを含む調光信号を生成する制御部と、
無線通信により、前記制御部によって生成された調光信号を所定時間ごとに送信する通信部と
を備え、
前記第２コントローラは、
前記１または複数の第１コントローラからそれぞれ送信される調光信号を受信し、受信した調光信号のうち、更新時刻が最も新しい調光信号を、前記照明器具に送信し、
前記照明器具は、
前記第２コントローラから受信した調光信号に含まれる調光設定に従って、自己の光源を制御することを特徴とする照明システム。
【請求項３】
請求項２記載の照明システムにおいて、
前記第２コントローラは、
ユーザからの調光設定を受け付け、前記ユーザから受け付けた調光設定と、前記調光設定を受け付けた更新時刻とを含む調光信号を生成し、
自己が生成した調光信号、および、前記１または複数の第１コントローラから受信した調光信号のうち、更新時刻が最も新しい調光信号を、前記照明器具に送信することを特徴とすることを特徴とする照明システム。
【請求項４】
請求項２記載の照明システムにおいて、
前記第２コントローラは、
ユーザからの調光設定を受け付け、前記ユーザから受け付けた調光設定を含む調光信号を生成し、
ユーザからの調光設定を受け付けてから、前記１または複数の第１コントローラから受信した調光信号に含まれるいずれかの更新時刻が更新されるまで、自己が生成した調光信号を、前記照明器具に送信することを特徴とする照明システム。
【請求項５】
請求項１〜４のいずれか１項記載の照明システムにおいて、
前記コントローラは、他のコントローラが受け付けた調光設定により前記照明器具の光源を制御させず、自己が受け付けた調光設定により前記照明器具の光源を制御する強制モードの設定を前記操作部が受け付けた場合、前記更新時刻に代えて、前記強制モードを受け付けたことを時刻データの形式で示す強制モードデータを含む調光信号を生成し、
前記照明器具は、前記受信した調光信号のうちに前記強制モードデータを含む調光信号が含まれるとき、当該強制モードデータを含む調光信号における調光設定に従って、自己の光源を制御することを特徴とする照明システム。
【請求項６】
請求項１〜５のいずれか１項記載の照明システムにおいて、
前記複数のコントローラは、
人感センサを有し、当該人感センサの検出タイミングに基づいた前記更新時刻を含む調光信号を生成することを特徴とする照明システム。
【請求項７】
請求項１〜６のいずれか１項記載の照明システムにおいて、
前記調光設定は、調光率、フェード時間、調色率、および、ＤＭＸレベルのうち少なくともいずれか１つを含むことを特徴とする照明システム。
【請求項８】
照明器具と、前記照明器具の調光制御を行うためにそれぞれ設けられた複数のコントローラとを備える照明システムの制御方法であって、
前記コントローラは、
ユーザからの調光設定を受け付け、
前記ユーザから受け付けた調光設定と、前記調光設定を受け付けた更新時刻とを含む調光信号を生成し、
無線通信により、生成した調光信号を所定間隔ごとに送信し、
前記照明器具は、
前記複数のコントローラからそれぞれ送信される調光信号を受信し、
受信した調光信号のうち、更新時刻が最も新しい調光信号に含まれる調光設定に従って、自己の光源を制御することを特徴とする照明システムの制御方法。
【発明の詳細な説明】
【技術分野】
【０００１】
本発明は、無線通信により、複数のコントローラから照明器具に調光信号が送信される照明システムにおいて、各コントローラから照明器具を調光制御可能な照明システムに関するものである。
【背景技術】
【０００２】
従来より、照明負荷をオン・オフする照明制御システムが知られている。特許文献１では、人体検知信号又は操作スイッチのオン操作に応じて照明負荷をオンにすると共に、所定時間の計測を開始し、照明負荷をオンしてから所定時間の経過後に照明負荷をオフにする技術が開示されている。
【先行技術文献】
【特許文献】
【０００３】
【特許文献１】特開２００８−１７７０９３号公報
【発明の概要】
【発明が解決しようとする課題】
【０００４】
ところで、例えば、教室や会議室等、広いスペースに設置される照明システムにおいて、１つの照明器具に対して、調光制御を実行するためのコントローラが複数設けられることがある。このような照明システムでは、各コントローラから照明器具に対して調光制御を行うために調光信号が送信される。
【０００５】
ここで、無線通信により、コントローラから照明器具に対して調光信号を送信する構成である場合、調光信号の通信信頼性を確保するため、コントローラから調光信号が所定時間ごとに送信される。このため、コントローラから照明器具に対して常時調光信号が送信されるため、１つの照明器具に対して設けられるコントローラは１つであった。すなわち、無線通信により、コントローラから照明器具に調光信号を送信する場合、１つの照明器具に対して複数のコントローラを設けることが困難であった。
【０００６】
そこで、本発明は、無線通信により、複数のコントローラから照明器具にそれぞれ調光信号を送信する照明システムにおいて、各コントローラから照明器具を制御可能な照明システムを提供することを目的とする。
【課題を解決するための手段】
【０００７】
上記の目的を達成するために、本発明の一実施形態に係る照明システムは、照明器具と、前記照明器具の調光制御を行うためにそれぞれ設けられた複数のコントローラとを備える。前記コントローラは、ユーザからの調光設定を受け付ける操作部と、前記ユーザから受け付けた調光設定と、前記調光設定を受け付けた更新時刻とを含む調光信号を生成する制御部と、無線通信により、前記制御部によって生成された調光信号を所定時間ごとに送信する通信部とを備える。前記照明器具は、前記複数のコントローラからそれぞれ送信される調光信号を受信する通信部と、受信した調光信号のうち更新時刻が最も新しい調光信号に含まれる調光設定に従って、自己の光源を制御する制御部とを備える。
【発明の効果】
【０００８】
本発明によれば、無線通信により、複数のコントローラから照明器具にそれぞれ調光信号を送信する照明システムにおいて、各コントローラから照明器具を制御することができる。
【図面の簡単な説明】
【０００９】
【図１】第１実施形態に係る照明システムのブロック図。
【図２】第１実施形態に係る照明システムの動作を示すフローチャート。
【図３】第２実施形態に係る照明システムのブロック図。
【発明を実施するための形態】
【００１０】
以下、本発明の実施形態を図面に基づいて詳細に説明する。以下の好ましい実施形態の説明は、本質的に例示に過ぎず、本発明、その適用物あるいはその用途を制限することを意図するものでは全くない。
【００１１】
（第１実施形態）
図１は本実施形態に係る照明システムのブロック図を示す。図１に示すように、本照明システムは、複数のコントローラ１と照明器具２とを備える。
【００１２】
コントローラ１は、操作部１１と、制御部１２と、通信部１３とを備える。
【００１３】
操作部１１は、ユーザからの調光設定を受け付ける、例えば、キーボード、マウス、タッチパネル、フェーダ、スイッチ等の入力装置である。具体的に、操作部１１は、ユーザから受け付けた調光設定に応じた信号を、制御部１２に出力する。なお、操作部１１がユーザから受け付ける調光設定には、照明器具２の光源２３における調光率、フェード時間、調色率およびＤＭＸ（Digital Multiplex）レベル等の設定が含まれる。
【００１４】
制御部１２は、例えば、回路や、ＣＰＵ（Central Processing Unit）および半導体メモリ等を含むマイクロコンピュータで構成される。制御部１２は、照明器具２を制御するための調光信号を生成する。この調光信号は、後述する更新時刻と、調光設定とを含む。
【００１５】
また、制御部１２は、現在時刻を生成する時刻部１４を備える。制御部１２は、操作部１１から信号を受けたとき、時刻部１４により生成された現在時刻を取得する。そして、制御部１２は、取得した現在時刻と、操作部１１から入力された信号に含まれる調光設定とを含む調光信号を生成して、通信部１３に出力する。すなわち、制御部１２は、ユーザから調光設定を受け付けた時刻（更新時刻に相当）と調光設定とを含む調光信号を生成する。
【００１６】
また、制御部１２は、所定時間ごとに調光信号を生成する。制御部１２は、操作部１１から次の調光設定を含む信号が入力されるまで、同一の更新時刻および同一の調光設定を含む調光信号を生成する。そして、制御部１２は、生成した調光信号を通信部１３に出力する。
【００１７】
通信部１３は、無線通信により、制御部１２から入力された調光信号を照明器具２に送信する。すなわち、通信部１３は、無線通信により、所定時間ごとに調光信号を送信する。
【００１８】
照明器具２は、通信部２１と、制御部２２と、光源２３とを備える。
【００１９】
通信部２１は、無線通信により、コントローラ１の通信部１３から送信される調光信号を受信する。通信部２１は、受信した調光信号を制御部２２に出力する。
【００２０】
制御部２２は、例えば、ＣＰＵおよび半導体メモリ等を含むマイクロコンピュータ等で構成される。制御部２２は、受信した調光信号に含まれる調光設定に従って、ＬＥＤ（Light Emitting Diode）等で構成された光源２３の調光を制御する。
【００２１】
ここで、本照明システムが複数のコントローラ１を含むことから、通信部２１は、所定時間内に、複数の調光信号を受信する。このため、制御部２２は、通信部２１から所定時間内に入力される調光信号のうち、光源２３の調光を制御するために用いる調光信号を選択する信号選択部２５を備える。
【００２２】
信号選択部２５は、制御部２２に対して入力される調光信号に含まれる更新時刻を検出する。そして、信号選択部２５は、制御部２２に対して所定時間内に入力された調光信号のうち更新時刻が最も新しい調光信号を選択する。制御部２２は、信号選択部２５によって選択された調光信号に含まれる調光設定に従って、自己の光源２３を制御する。
【００２３】
−照明システムの動作−
図２は第１実施形態に係る照明システムにおける動作を示すフローチャートである。図１および図２を参照しつつ、本照明システムの動作を説明する。なお、図２では、コントローラ１Ａ，１Ｂは、それぞれ、図１におけるコントローラ１と同じ構成である。また、図２では、コントローラ１Ａ，１Ｂがそれぞれ生成する調光信号を、調光信号ＣＳ１，ＣＳ２とする。
【００２４】
ステップＳ１１において、コントローラ１Ａの操作部１１に対して、ユーザによる調光設定が行われる。すなわち、操作部１１が、ユーザからの調光設定を受け付ける。操作部１１は、調光設定に応じた入力信号を、コントローラ１Ａの制御部１２に出力する。
【００２５】
ステップＳ１２において、コントローラ１Ａは、調光信号ＣＳ１を生成する。具体的に、コントローラ１Ａは、操作部１１が受け付けた調光設定を含み、時刻部１４により生成された現在時刻、すなわち、ユーザからの調光設定を受け付けた時刻を更新時刻として含む調光信号ＣＳ１を生成する。
【００２６】
ステップＳ１３において、コントローラ１Ａは、調光信号ＣＳ１を照明器具２に送信する。具体的に、コントローラ１Ａの通信部１３は、制御部１２によって生成された調光信号ＣＳ１を、無線通信により、所定時間ごとに照明器具２に送信する。
【００２７】
ステップＳ２１〜Ｓ２３において、コントローラ１Ａと同様に、コントローラ１Ｂは、ユーザからの調光設定を含み、調光設定を受け付けた時刻を更新時刻として含む調光信号ＣＳ２を生成して、無線通信により、所定時間ごとに照明器具２に送信する。
【００２８】
ステップＳ３１，Ｓ３２において、照明器具２は、無線通信により、調光信号ＣＳ１，ＣＳ２を受信する。具体的に、照明器具２の通信部２１は、コントローラ１Ａの通信部１３から送信された調光信号ＣＳ１と、コントローラ１Ｂの通信部１３から送信された調光信号ＣＳ２とを受信する。照明器具２の通信部２１は、制御部２２に調光信号ＣＳ１，ＣＳ２を出力する。
【００２９】
ステップＳ３３において、照明器具２の信号選択部２５（制御部２２）は、調光信号の選択を行う。具体的に、信号選択部２５は、調光信号ＣＳ１，ＣＳ２に含まれる更新時刻を検出し、調光信号ＣＳ１，ＣＳ２のうち、更新時刻が新しい調光信号を選択する。
【００３０】
ステップＳ３４において、照明器具２は、信号選択部２５により選択された調光信号に含まれる調光設定に従って、光源２３の調光を制御する。
【００３１】
以上の構成により、各コントローラ１は、ユーザからの調光設定を受け付ける操作部１１と、ユーザから受け付けた調光設定と、調光設定を受け付けた更新時刻とを含む調光信号を生成する制御部１２と、無線通信により、制御部１２によって生成された調光信号を所定時間ごとに送信する通信部１３とを備える。照明器具２は、各コントローラ１からそれぞれ送信される調光信号を受信する通信部２１と、受信した調光信号のうち、更新時刻が最も新しい調光信号に含まれる調光設定に従って、自己の光源２３を制御する制御部２２とを備える。すなわち、ユーザがコントローラに対して調光設定を行った場合、コントローラは、ユーザの調光設定を受け付けた時刻を更新時刻として含む調光信号を生成して、照明器具に送信する。そして、照明器具は、受信した調光信号のうち、最も新しい更新時刻を含む調光信号、すなわち、ユーザの調光設定を受け付けた時刻が最も新しい調光信号に従って光源の調光を制御する。これにより、ユーザは、複数のコントローラのうちいずれか１つのコントローラに対して調光設定を行うことにより、照明器具の調光を制御することができる。したがって、無線通信により、複数のコントローラから照明器具にそれぞれ調光信号を送信する照明システムにおいて、各コントローラから照明器具を制御することができる。
【００３２】
（第２実施形態）
図３は第２実施形態に係る照明システムにおけるブロック図である。本実施形態に係る照明システムは、複数のコントローラ１と、コントローラ１Ｃと、照明器具２Ａとを備える。なお、コントローラ１の構成は、第１実施形態と同様であるので、説明を省略する。図３では、コントローラ１Ｃには、信号選択部１５が備えられる一方、照明器具２Ａには、信号選択部２５が備えられていない。
【００３３】
具体的に、コントローラ１Ｃの通信部１３は、無線通信により、コントローラ１からの調光信号を受信する。
【００３４】
また、コントローラ１Ｃの信号選択部１５は、自己（コントローラ１Ｃの制御部１２）が生成した調光信号、および、無線通信により、コントローラ１から受信した調光信号のうち、更新時刻が最も新しい調光信号を選択する。具体的に、信号選択部１５は、自己が生成した調光信号、および、無線通信により受信した調光信号にそれぞれ含まれる更新時刻を検出し、更新時刻が最も新しい調光信号を選択する。コントローラ１Ｃの通信部１３は、信号選択部１５により選択された調光信号を、無線通信または有線通信により、照明器具２Ａに送信する。
【００３５】
照明器具２Ａの通信部２１は、コントローラ１Ｃの通信部１３からの調光信号を受信する。照明器具２Ａの制御部２２は、受信した調光信号に含まれる調光設定に従って、光源２３の調光を制御する。
【００３６】
以上の構成により、第１実施形態と同様の効果を得ることができる。
【００３７】
また、本照明システムでは、照明器具２Ａに信号選択部２５が備えられていない。すなわち、本照明システムは、既存の照明器具に適用することができる。
【００３８】
なお、本実施形態では、コントローラ１Ｃに操作部１１および時刻部１４が備えられているが、コントローラ１Ｃに操作部１１および時刻部１４が備えられていなくてもよい。すなわち、コントローラ１Ｃは、調光信号を生成せず、各コントローラ１から送信される調光信号のうち更新時刻が最も新しい調光信号を選択して、照明器具２に送信する機能のみを有していてもよい。
【００３９】
また、本実施形態では、コントローラ１Ｃに、時刻部１４が備えられているが、備えてられていなくてもよい。この場合、コントローラ１Ｃは、ユーザから調光設定を受け付けたとき、受け付けた調光設定を含む調光信号を生成して、照明器具２に送信する。そして、コントローラ１Ｃは、各コントローラ１から送信される調光信号に含まれる更新時刻を記憶しておき、各コントローラ１から送信される調光信号に含まれる更新時刻が更新されるまで、自己が生成した調光信号を照明器具２に送信する。
【００４０】
（他の実施形態）
以上のように、本出願において開示する技術の例示として、実施形態について説明した。しかしながら、本開示における技術は、これに限定されず、適宜、変更、置き換え、付加、省略などを行った実施形態にも適用可能である。
【００４１】
なお、上記実施形態において、コントローラ１，１Ｃの操作部１１が、他のコントローラが受け付けた調光設定により照明器具２，２Ａを制御させず、自己が受け付けた調光設定により照明器具２，２Ａを制御する強制モードの設定を受け付けてもよい。この場合、操作部１１が強制モードの設定を受け付けたとき、制御部１２は、更新時刻に代えて、強制モードの設定を受け付けたことを示す時刻データ（強制モードデータ）を含む調光信号を生成する。ここでは例えば、強制モードデータとして「９９９９／９９／９９／９９／９９／９９」（年月日時分秒）を用いるものとする。そして、コントローラ１Ｃの信号選択部１５、および、照明器具２の信号選択部２５は、受信した調光信号の中に強制モードデータを含む調光信号が含まれる場合、当該調光信号を選択する。
【００４２】
例えば、コントローラ１，１Ｃは、操作部１１が、ユーザからの所定の調光設定（例えば、調光率が１００％等）を受け付けたとき、強制モードの設定を受け付けたと判断して、更新時刻に代えて、強制モードデータ、すなわち、「９９９９／９９／９９／９９／９９／９９」を含む調光信号を生成する。そして、コントローラ１Ｃの信号選択部１５、および、照明器具２の信号選択部２５は、強制モードデータを含む調光信号を選択する。これにより、複数のコントローラのうち１つコントローラのみにより照明器具を制御することができる。なお、コントローラ１，１Ｃの操作部１１に強制モードを設定するためのボタン等を備えてもよい。
【００４３】
また、上記実施形態において、コントローラ１，１Ｃは、人感センサを有していてもよい。具体的に、コントローラ１，１Ｃは、人感センサの検出タイミングに基づいた更新時刻を含む調光信号を生成してもよい。例えば、コントローラ１，１Ｃは、人感センサが、人体を検出したタイミング、または、検出していた人体が検出されなくなったタイミングを更新時刻とする調光信号を生成してもよい。
【００４４】
また、上記実施形態において、照明器具２は、コントローラ１から調光信号を受信した場合、無線通信により、コントローラ１に調光信号を受信した旨を通知してもよい。また、コントローラ１Ｃおよび照明器具２Ａは、コントローラ１，１Ｃから調光信号をそれぞれ受信した場合、無線通信により、コントローラ１，１Ｃに調光信号を受信した旨をそれぞれ通知してもよい。すなわち、上記実施形態において、コントローラ同士の間、および、コントローラと照明器具との間は、互いに通信可能に構成された双方向通信であってもよい。
【００４５】
また、上記実施形態において、コントローラ１，１Ｃおよび照明器具２は複数あってもよい。
【産業上の利用可能性】
【００４６】
本発明は、複数のコントローラにより照明器具の調光制御が実行できるため、例えば、広い教室や会議室など、照明器具の調光制御に用いられるコントローラが複数設けられる照明システムに適用可能である。
【符号の説明】
【００４７】
１，１Ａ〜１Ｃ  コントローラ
２，２Ａ  照明器具
１４  時刻部
１５，２５  信号選択部
【図１】
2020194652.tif 000003
【図２】
2020194652.tif 000004
【図３】
2020194652.tif 000005